(57)【要約】【課題】排水手段を備える端部構造を、優れた意匠性で且つ高い支持強度にて実現でき、更には、様々な形状の排水手段を適用できる端部構造を提供する。【解決手段】本発明は、建築物の端部に配する端部構造であって、その配設状態において、傾斜面材である上部材２の下端と水平面材である下部材３の先端とがヒンジ構造３６を介して回動自在に連結されており、形成される内部空間には、排水手段１が設けられていることを特徴とする。【選択図】図３
2020204260.tif 000002
【特許請求の範囲】
【請求項１】
建築物の端部に配する端部構造であって、
その配設状態において、傾斜面材である上部材の下端と水平面材である下部材の先端とがヒンジ構造を介して回動自在に連結されており、
形成される内部空間には、排水手段が設けられていることを特徴とする端部構造。
【発明の詳細な説明】
【技術分野】
【０００１】
本発明は、排水手段を備える端部構造を、優れた意匠性で且つ高い支持強度にて実現でき、更には様々な形状の排水手段を適用できる端部構造に関する。
【背景技術】
【０００２】
従来、屋根の樋としては、軒先に設ける軒樋が一般的に広く知られている。
例えば特許文献１には、複数の通孔を設けた屋根受け金具７や水切り８を介して軒樋９を取り付けた構造が記載され、特許文献２には、軒樋吊具を介して軒樋４を取り付けた構造が記載され、これらの軒樋９，４としては、丸型や箱形の断面構造が記載されている。
また、特許文献３には、軒樋１の前方を化粧カバー材４で覆う構成が記載され、特許文献４には、樋受面２４を有する軒樋受金物２０の前面側に化粧モール２７を取り付ける構成が記載されている。
【先行技術文献】
【特許文献】
【０００３】
【特許文献１】特開２０００−３５５９７９号公報
【特許文献２】特開２００２−３１７５３９号公報
【特許文献３】特開２００６−２３３５３６号公報
【特許文献４】特開２００３−２３９４７４号公報
【発明の概要】
【発明が解決しようとする課題】
【０００４】
しかしながら、前記特許文献１，２の樋構造は、軒先としての意匠性が乏しく、雨水を受けるためだけの機能のみを採用したものであり、見栄えが悪く、意匠性に乏しいものであった。
また、前記特許文献３，４の樋金具は、前述のように軒樋や軒樋受金物に化粧材を取り付けて軒先を装飾するので、意匠性が改善されるものの、金具の形状や軒樋の形状に制約を受け、汎用性の低いものであった。さらに、これらの構造では、樋吊り金具等が躯体側のみに固定された片持ち状であるため、降雪時等に破損する恐れのあるものであった。また、室内への漏水リスク、構造的に複雑でコスト高になるなどのデメリットもあった。さらに、屋根勾配毎に部材を変更する必要があった。しかも軒樋を化粧材で覆う構造では、メンテナンスが困難となるという欠点もあった。
【０００５】
そこで、本発明は、排水手段を備える端部構造を、優れた意匠性で且つ高い支持強度にて実現でき、更には様々な形状の排水手段を適用できる端部構造を提案することを目的とする。
【課題を解決するための手段】
【０００６】
本発明は、上記に鑑み提案されたものであって、建築物の端部に配する端部構造であって、その配設状態において、傾斜面材である上部材の下端と水平面材である下部材の先端とがヒンジ構造を介して回動自在に連結されており、形成される内部空間には、排水手段が設けられていることを特徴とする端部構造を提案するものである。
【発明の効果】
【０００７】
本発明の端部構造は、その配設状態において、何れか一方が略傾斜状に、他方が略水平状に、配される上部材と下部材とがそれらの先端で連結されている構造であり、例えば軒先構造では下部材の先端と上部材の下端がヒンジ構造を介して回動自在に連結されているので、優れた意匠性を有し、しかも高い支持強度を有するものであって、上部材の上端を建築下地等に固定することにより、両部材の先端に生ずる荷重を上部材が引っ張り上げる状態となり、これらの上部材及び下部材は安定に取り付けられるものとなる。
【図面の簡単な説明】
【０００８】
【図１】本発明の第１参考例（軒先構造）の端部構造を示す斜視図であり、内部構造を見せるために一部構成を欠載して示している。
【図２】（ａ）本発明の第２参考例の端部構造を示す側断面図、（ｂ）用いた上部材、排水手段（軒樋）、下部材を示す側面図である。
【図３】（ａ）本発明の第１実施例の端部構造を示す側断面図、（ｂ）用いた軒先カバー材、排水手段（軒樋）、上部軒先唐草、下部材を示す側面図である。
【図４】本発明の第３参考例の端部構造を示す側断面図である。
【図５】本発明の第４参考施例の端部構造を示す側断面図である。
【図６】本発明の第５参考例の端部構造を示す側断面図である。
【図７】本発明の第６参考例の端部構造を示す側断面図である。
【発明を実施するための形態】
【０００９】
本発明は、建築物の端部に配する端部構造であって、その配設状態において、傾傾斜面材である上部材の下端と水平面材である下部材の先端とがヒンジ構造を介して回動自在に連結されており、形成される内部空間には、排水手段を設けてなることを特徴とする。
なお、「傾斜面材である上部材」とは、その配設状態において、上部材が略傾斜状の配設状態を維持し、水平面材である下部材とは、その配設状態において、下部材が略水平状の配設状態を維持することを意味している。
【００１０】
本発明の端部構造を構成する上部材、下部材は、何れか一方が略傾斜状の面材、他方が略水平状の面材を含むものであれば、設置部位の条件（排水部を兼ねる場合の下部材の長さ、屋根勾配、取り合い等）や作業性等を勘案して長さを設定すればよく、それぞれ通し材でも所定長さのものを用いてもよいし、所定長さや異なる長さのものを組み合わせて用いるようにしてもよい。なお、複数の排水部を兼ねる下部材を組み合わせる場合、その性能上、止水処理を施した連結を行うことが好ましい。
なお、上部材は、下地の延長状（延出状）にあり、軒先であれば下地の軒先方向の延長状（下地勾配に沿う）に形成され、けらばであれば下地の外側に延出状に形成される。
【００１１】
また、上部材、下部材は、それらの先端で連結されているものであるが、この連結については、例えば後述する第１実施例のようにヒンジ構造を介して回動自在に連結されたものとする。
【００１２】
そして、これらの上部材、下部材において、前述のように連結される先端を一端とした際の奥端（他端）は、ビス等の固着具を用いて建築下地や表層（外装）材と一体的に固定されていることが望ましい。建築下地としては、具体的には垂木、野地板、鼻隠し等がある。
例えば前記上部材を傾斜面材とし、前記下部材を水平面材とした場合、水平面材の後端を建築下地に固定した状態で説明すると、水平面材の先端と傾斜面材の下端が連結されるので、傾斜面材の上端を建築下地等に固定することにより、両部材の先端に生ずる荷重を傾斜面材が引っ張り上げる状態となり、これらの水平面材及び傾斜面材は安定に取り付けられるものとなる。
即ち下部材の先端と上部材の下端が連結されるので、上部材の上端を建築下地等に固定することにより、両部材の先端に生ずる荷重を上部材が引っ張り上げる状態となり、これらの上部材及び下部材は安定に取り付けられる。
【００１３】
前記排水手段は、前述のように形成される内部空間に設けられるものであれば、特にその具体的構成を特定するものではなく、例えば樋状に形成した下部材自体の内面であってもよいし、防水シートを配設した構成でもよく、下部材（の内面）に防水処理を施したものでもよい。或いは後述する図示実施例のようにこの排水手段として別部材の軒樋等を採用してもよく、例えばその端部を直接的に建築下地に固定してもよいし、前記下部材等を介して間接的に建築下地に固定してもよい。
【００１４】
このような構成を有する本発明の端部構造は、傾斜面材である上部材の下端と水平面材である下部材の先端とがヒンジ構造を介して回動自在に連結された構造であるため、優れた意匠性を有し、しかも高い支持強度を有するものであって、更には内部空間に配設可能であれば、排水手段として、防水シートや様々な形状の軒樋等を適用できる。
【実施例１】
【００１５】
図１に示す本発明の第１参考例の端部（軒先）構造は、建築物の外装構造６の端部（軒先）に傾斜面材である上部材２の下端に設けられた係合部２３と、水平面材である下部材３の先端に設けられた延出片３４とが遊嵌状に設けた構成であって、前記上部材２と前記下部材３とは、それぞれの先端で連結されている構成である。また、これらの部材２，３より形成される内部空間には、排水手段１として軒樋を設けている。
図２に示す第２参考例でも同様であって、前記第１参考例とは下部材３，３'及び軒樋１，１'の一部形状、外壁６Ｄ，６Ｄ'の配設角度が相違する以外は殆ど共通する構成である。
【００１６】
前記上部材２は、これらの第１，第２参考例の配設状態においては、略傾斜状に配される部材であって、これらの第１，第２参考例では、前記外装構造の外装面を軒側へ延在させた延長面上に位置すると共に前記軒樋１，１'の上方に位置するものであり、複数の通孔２１１を備えて落ち葉除けを兼ねる軒先カバー材である。
この上部材（軒先カバー材）２は、略平坦状の面板部２１の傾斜上側（外装構造側）寄りに複数の横長の通孔２１１を備え、その傾斜上端２２を略Ｌ字状に立ち上げ、外装構造の軒端に取り付けられた納め材５ｃにビス固定（ビス２ｂ）している。また、この上部材２の先端（下端）は、前記面板部２１の傾斜下端に相当するが、裏面側へ略鉛直状に延在して裏面側へ跳ね上げ状に折り返されたレ字状の係合部２３を形成している。
【００１７】
前記下部材３，３'は、これらの第１，第２参考例の配設状態においては、略水平状に配される部材であって、これらの第１，第２参考例では、前記上部材２及び前記軒樋１の下方に位置するものであり、前記軒樋１，１'を下面側から隠す軒天カバー材である。
この下部材（軒天カバー材）３，３'は、略平坦状の平面部３１をほぼ中央に有し、その軒先側の端部は傾斜状に立ち上げられ（外側傾斜片３２）、その上端を軒先側へ折曲され（支持片３３）、更にその先端を下方へ折曲されており（延出片３４）、前記平面部３１の外装構造側の端部を第１参考例では鉛直状に、第２参考例ではやや内側へ傾斜状に立ち上げられた（内側縦片３５，３５'）構成である。この下部材３，３'の前記支持部３３は、前記上部材２の面板部２１の水下側を支持する部位であり、前記内側縦片３５，３５'は、その表面及び下端に沿うように取り付けられる表皮材６e1，６e2と共に外壁６Ｄ，６Ｄ'にビス固定（ビス３ｂ）されている。なお、この下部材３，３'の先端（軒先端）は、前記延出片３４に相当する。
【００１８】
そして、前記上部材２の先端（下端）である係合部２３は、下部材３，３'の先端である延出片３４に遊嵌状に係合しており、深く且つ遊嵌状に係合しているので、角度調整可能に連結されている。そのため、上部材２の傾斜角度を容易に調整して配設することができるため、様々な外装構造に適用することが可能であると共に、これらの部材の配設施工やビス打ち等に際して容易に施工作業を実施することができる。
【００１９】
これらの第１，第２参考例において排水手段１，１'として用いる軒樋は、略中央が平坦状の幅広な排水部１１を備える樋材であって、その軒先側を傾斜状に立ち上げて傾斜状に下る軒先側端１２とし、その外壁６Ｄ，６Ｄ'側を第１参考例では鉛直状に、第２参考では傾斜状に立ち上げた外壁側端１３，１３'とした。なお、これらの軒樋１，１'の前記軒先側端１２は、前述の連結部分に差し込むように挿着されており、前記外壁側端１３，１３'は、前記下部材３（の内側縦片３５，３５'）と共に外壁６Ｄ，６Ｄ'に取り付ける（ビス固定する）ようにした。
【００２０】
これらの各部材からなる軒樋構造は、下段の部材から順に（下部材３，３'→軒樋１，１'→上部材２）施工することが一般的であるが、特にこれに限定するものではない。
まず、前記下部材３，３'の内側縦片３５，３５'を、外壁６Ｄ，６Ｄ'の表面に沿わせることにより、その平面部３１を略水平面状に維持する。
次に、前記軒樋１，１'の排水部１１が前記下部材３，３'の平面部３１に受支されるように配設すると共に、その軒先側端１２を前記下部材３，３'の支持片３３に沿わせ、その外壁側端１３，１３'を内側縦片３５，３５'に沿わせてビス固定（ビス３ｃ）する。
最後に前記上部材２を固定するのであるが、その軒側の先端に形成した係合部２３を前記下部材３，３'の延出片３４に係合すると共に、略Ｌ字状に形成した傾斜上端２２を納め材５ｃにビス固定（ビス２ｂ）して固定している。
【００２１】
前記建築物の外装構造６は、傾斜勾配が形成されるように組み付けられた躯体５Ａの表面に野地材５Ｂが敷設され、更にその上面に裏面側にバックアップ材６Ｂを配した横葺き外装材６Ａを吊子６ｃにて段状に取り付けた横葺き外装構造であり、前記バックアップ材６Ｂの上面には排水溝６１が形成され、隣り合うバックアップ材６Ｂ，６Ｂは相じゃくり状に重合されて連続状の断熱層を形成している。
また、前記野地材５Ｂの軒端には、前記納め材５ｃが固定ビス５ｄにて取り付けられ、更に所定間隔で前記吊子６ｃがビス５ｅにて取り付けられている。また、この外装構造６の軒端には第１参考例では鉛直状に、第２参考例では傾斜状に外壁６Ｄ，６Ｄ'が設置され、その表面及び下端に沿うように表皮材６e1，６e2が取り付けられ、その内方には略水平状に天井材６Ｆが配設されている。なお、前記図１の６Ｇは、断面矩形状の構造材である。
【００２２】
このように本発明の第１，第２参考例の端部（軒先）構造は、それぞれ略傾斜状、略水平状に配した上部材２と下部材３，３'とを先端で連結した構成であり、形成される内部空間に排水手段１，１'として軒樋を配設する構造であるため、優れた意匠性を有し、しかも高い支持強度を有するものであって、更には様々な形状の軒樋１，１'を適用できるものである。
また、この軒先構造は、上部材２も下部材３，３'も生ずる荷重は、固定された建築下地に負担させることができるため、軒樋１，１'に不要な荷重耐性を求めることがない。
更に、これらの第１，第２参考例では、横葺き外装材６Ａの裏面に雨水等が浸入したとしても、前記バックアップ材６Ｂの表面に排水溝６１を形成しているため、確実に軒先に排水して軒樋１，１'に導くことができる。
【００２３】
図３（ａ）に示す本発明の第１実施例の端部（軒先）構造は、上部材２"と下部材３"とがヒンジ構造を介して回動自在に連結された構成である。
前記上部材２"は、図３（ｂ）に示すようにその配設状態において略傾斜状に配される軒先カバー材２Ａ"と、角度調整を可能とするヒンジ構造を備える上部軒先唐草２Ｂ"とからなり、前記下部材３"は、その配設状態において略水平状に配される部材であって、前記上部軒先唐草２Ｂ"とヒンジ構造を介して連結される連結部としてＣ字状部３６を有する軒天カバー材である。
【００２４】
前記軒先カバー材２Ａ"は、この第１実施例では野地材５Ｂの表面を軒側へ延在させた延長面上に位置する（＝外装面の延長面から段状に位置する）と共に、複数の通孔２１１を備えて落ち葉除けを兼ねる面板部２１"の傾斜下端から更に下方へ傾斜状に延在して裏面側へ折り返され状の係合部２３"を形成している以外は前記第１参考例の上部材２とほぼ同様であり、同一符号を付して説明を省略する。
前記上部軒先唐草２Ｂ"は、長く延在する軒先延在片２４と、後述する下部材３"とヒンジ構造を形成する受け部２５と、上方へ凸状に隆起する支持部２６とを有する通し材（連続材）である。
これらの軒先カバ材ー２Ａ"と上部軒先唐草２Ｂ"とは、前記上部軒先唐草２Ｂ"の軒先延在片２４に前記軒先カバー材２Ａ"の係合部２３"を係合させることにより一体化されて上部材２"を形成する。
【００２５】
前記下部材３"は、この第１実施例でも、前記上部材２"及び後述する軒樋１"の下方に位置する軒天カバー材であって、略平坦状の平面部３１"をほぼ中央に有し、その軒先側には、前記上部軒先唐草２Ｂ"とヒンジ構造を形成するＣ字状部３６を有し、前記平面部３１"の外装構造側の端部は鉛直状に立ち上げられた（内側縦片３７）構成である。
【００２６】
そして、前記上部材２"を構成する上部軒先唐草２Ｂ"は下部材３"とヒンジ構造を介して連結されているので、角度調整可能に連結されている。そのため、上部材２"の傾斜角度を容易に調整して配設することができるため、様々な外装構造に適用することが可能であると共に、これらの部材の配設施工やビス打ち等に際して容易に施工作業を実施することができる。
【００２７】
この第１実施例における排水手段１"である軒樋は、前記第１，第２参考例の軒樋１，１'に比べて排水部１１"がやや小さく（＝幅狭で浅く）形成されている以外はほぼ同様であり、その軒先側を傾斜状に立ち上げて傾斜状に下る軒先側端１２"を前記上部材２"を形成する二部材２Ａ"，２Ｂ"の連結部分に差し込むように配設する点でも同様である。但し、その外壁６Ｄ側を傾斜状に立ち上げた外壁側端１３"については、外装構造の軒端に取り付けられた納め材５ｃに沿わせる（ビス固定していない）ようにした。
【００２８】
これらの各部材からなる軒樋構造は、図３（ｂ）に示すように下段の部材から順に（下部材３"→上部軒先唐草２Ｂ"→軒樋１"→軒先カバー材２Ａ"）施工することが一般的であるが、特にこれに限定するものではない。
まず、前記下部材３"の内側縦片３７を、外壁６Ｄの表面に沿わせてビス固定（ビス３ｃ）することにより、その平面部３１"を略水平面状に維持する。
次に、前記下部材３"のＣ字状部３６に、前記上部軒１先唐草２Ｂ"の受け部２５を取り付けてヒンジ構造を形成する。
その後、前記軒樋１"の排水部１１"が前記下部材３"の平面部３１"に受支されるように配設すると共に、その軒先側端１２"を前記上部軒先唐草２Ｂ"の支持部２６に沿わせ、その外壁側端１３"を納め材５ｃに沿わせる。
最後に前記軒先カバー材２Ａ"を固定するのであるが、その先端に形成した係合部２３"を前記上部軒先唐草２Ｂ"の軒先延在片２４に係合すると共に、略Ｌ字状に形成した傾斜上端２２を納め材５ｃにビス固定（ビス２ｃ）して固定している。
【００２９】
また、前記建築物の外装構造６についても、前記第１，第２参考例とほぼ同様の横葺き外装構造であり、図面に同一符号を付して説明を省略するが、この外装構造６の軒端には、その表面に沿うように表皮材６e1，６e2を取り付けている点でも同様であり、前記第１参考例と同様に外壁６Ｄを鉛直状に立設させている。
【００３０】
このように本発明の第１実施例の端部（軒先）構造は、それぞれ略傾斜状、略水平状に配した上部材２"と下部材３"とを先端で連結した構成であり、その間に軒樋１"を配設する構造であるため、優れた意匠性を有し、しかも高い支持強度を有するものであって、更には様々な形状の軒樋１"を適用できるものである。
また、この軒先構造は、上部材２"も下部材３"も生ずる荷重は、固定された建築下地に負担させることができるため、軒樋１"に不要な荷重耐性を求めることがない。
【００３１】
図４に示す本発明の第３参考例の端部（軒先）構造は、上部材７Ａは、その配設状態において略傾斜状に配される軒先カバー材であって、下部材８Ａは、排水手段（排水部１０Ａ）を兼ねる軒天カバー材であり、それぞれＬ字状に形成された先端７２，８２が係合状に連結された構成である。
【００３２】
前記上部材７Ａは、この第３参考例の配設状態においては、略傾斜状に配される部材であって、この第３参考例では、前記第１実施例と同様に野地材５Ｂの表面を軒側へ延在させた延長面上に位置するものであり、複数の通孔７１１を備えて落ち葉除けを兼ねる面板部７１を備える軒先カバー材である。
また、この上部材７Ａの先端７２は、前記面板部７１の下端に相当するが、裏面側へ略鉛直状に延在して裏面側へ略水平状に折り返されたＬ字状の係合部を形成している。
【００３３】
前記下部材８Ａは、この第３参考例の配設状態においては、略水平状に配される部材であって、この第３参考例では、前記上部材７Ａの下方に位置するものであり、排水手段（軒樋＝排水部１０Ａ）を兼ねる軒天カバー材である。
この下部材（軒天カバー材）８Ａは、略平坦状の平面部８１をほぼ中央に有し、その軒先側の端部は段状（４段）に立ち上げられ（外側段状片８３）、前記平面部８１の外装構造側の端部は略鉛直状に立ち上げられた（内側縦片８４）構成である。この下部材８Ａの前記平面部８１は、排水部１０Ａの底面に相当する部位であり、前記外側段状片８３及び前記内側縦片８４が、排水部１０Ａの側面に相当する部位である。なお、この下部材８Ａの先端８２は、前記外側段状片８３の上端を軒先側へ折曲され、更にその先端を上方へ立ち上げられたＬ字状の係合部を形成している。
【００３４】
前記上部材７Ａの先端７２と前記下部材８Ａの先端８２とは、前述のようにそれぞれＬ字状の係合部であって、先端７２が先端８２の外側に沿うように係合させるが、予め先端７２が内側へ弾性が作用するように成形するか、先端８２が外側へ弾性が作用するように成形するか、その両方の弾性が作用するように成形することにより、継続的に安定な係合状態が維持される。
【００３５】
この第３参考例における建築物の外装構造６'は、前記第１、第２参考例、及び第１実施例と同様に傾斜勾配が形成されるように組み付けられた躯体５Ａの表面に野地材５Ｂが敷設され、更にその上面に裏面側に裏貼り材６２が添装された横葺き外装材６Ａ'を吊子６ｃ'にて段状に取り付けた横葺き外装構造である。なお、図中、６ｃ"は末端用の吊子、６Ｂ'は断熱材である。
また、前記野地材５Ｂの軒端には、該野地材５Ｂの表面に沿う横片と略鉛直状に垂下する縦片とからなる納め材５ｃ'が固定ビス５ｄにて取り付けられいるが、前記上部材７Ａの面板部７１の上端及び前記末端用の吊子６ｃ"と共にビス固定されている。
更に、この外装構造６'の軒端には、前記第１参考例や第１実施例と同様に鉛直状に外壁６Ｄが設置され、その表面及び下端に沿うように表皮材６e1，６e2が取り付けられ、その内方には断面矩形状の構造材６Ｇや略水平状に配設される天井材６Ｆが位置している。
【００３６】
このように本発明の第３参考例の端部（軒先）構造は、それぞれ略傾斜状、略水平状に配した上部材７Ａと下部材８ＡとをＬ字状の先端７２，８２で連結した構成であり、下部材８Ａ自体に排水手段（排水部１０Ａ）を有する構造であるため、使用部材の点数が少ないものである。
また、この軒先構造は、上部材７Ａも下部材８Ａも生ずる荷重は、固定された建築下地に負担させることができる。
【００３７】
図５に示す第４参考例、図６に示す第５参考例、図７に示す第６参考例は、前記第３参考例と同様に上部材７Ｂ〜７Ｄは、その配設状態において略傾斜状に配される軒先カバー材であって、下部材８Ｂ〜８Ｄは、排水手段（排水部１０Ｂ〜１０Ｄ）を兼ねる軒天カバー材である点で共通する構成である。
【００３８】
そのうち、第４参考例は、下部材（軒天カバー材）８Ｂの外側段状片８３ｂが同じように段状でも３段に形成されている以外は前記第３参考例と殆ど同一の構成であるため、図面に同一符号を付して説明を省略する。
これらの第４参考例及び第５参考例の外側段状片８３，８３ｂを比較すると明らかなように、段数の多い（屈曲角数が多い）第４参考例（外側段状片８３）の方が、段数の少ない第５参考例（外側段状片８３ｂ）に比べて容易に屈曲変形させることができる。
【００３９】
また、第５参考例及び第６参考例は、下部材７Ｃ，７Ｄの先端８２ｃ，８２ｄが、外側段状片８３ｃ，８３ｄの上端を軒先側へ延在し、更にその下方へ折り下げた横Ｌ字状に形成されている以外は、それぞれ前記第３参考例、前記第４参考例と殆ど同一の構成であるため、図面に同一符号を付して説明を省略する。
前記第３参考例（第４参考例も同様）では、それぞれＬ字状に形成した先端７２，８２を、それぞれの縦片及び横片が重合状になるように係合させたが、この第５参考例（第６参考例も同様）では、Ｌ字状の先端７２と横Ｌ字状の先端８２ｃは、一片のみが重合状となるように係合されるものである。
【００４０】
これらの第３〜第６参考例に示すように上部材７Ａ〜７Ｄと下部材８Ａ〜８Ｄとの先端の連結については特に限定するものではないが、上部材７Ａ〜７Ｄの先端７２〜７２ｄとしては、面板部７１の下端を折り下げた縦面（縦片）を有し、下部材８Ａ〜８Ｄの先端８２〜８２ｄとしては立ち上げ片でも折り下げ片でもよいが、縦面（縦片）を有して重合状に係合させることが望ましい。
【符号の説明】
【００４１】
１，１"  排水手段（軒樋）
１０Ａ  排水部（排水手段、軒樋）
２  上部材（軒先カバー材）
２"  上部材
２Ａ"  軒先カバー材
２Ｂ"  上部軒先唐草
３，３"  下部材（軒天カバー材）
３６  ヒンジ構造（Ｃ字状部）
５Ａ  躯体
５Ｂ  野地材
６Ａ  横葺き外装材
６Ｄ，６Ｄ"  外壁
７Ａ  上部材（軒先カバー材）
８Ａ  下部材（軒天カバー材兼軒樋）
【図１】
2020204260.tif 000003
【図２】
2020204260.tif 000004
【図３】
2020204260.tif 000005
【図４】
2020204260.tif 000006
【図５】
2020204260.tif 000007
【図６】
2020204260.tif 000008
【図７】
2020204260.tif 000009